(57)【要約】【課題】クランク軸３１、クランク軸３１に外嵌しているベアリング３２を介してクランク軸３１と揺動選別装置２０とにわたって連結している揺動選別装置駆動体３３を利用して揺動選別装置２０を駆動する揺動選別装置駆動装置を、ベアリングの脱着が可能な状態に、かつ、構造簡単に得る。【解決手段】クランク軸３１を、両端部３１ａが中間部３１ｂに対して偏芯する状態に屈曲した一本の屈曲軸によって構成してある。クランク軸３１の中間部３１ｂに支持筒３６を外嵌させ、この支持筒３６にベアリング３２を外嵌させてある。ベアリング３２の外側輪体に選別装置駆動体３３を連結してある。【選択図】        図２
2004159595.tif 000002
【特許請求の範囲】
【請求項１】
両端部が脱穀機体に回動自在に支持されている駆動自在なクランク軸を備えている脱穀装置の揺動選別装置駆動装置であって、
前記クランク軸を、前記両端部が中間部に対して偏芯する状態に屈曲した一本の屈曲軸によって構成し、前記クランク軸の前記中間部に外嵌している支持筒、この支持筒に内側輪体が外嵌しているベアリング、このベアリングの外側輪体と揺動選別装置にわたって連結している選別装置駆動体を備えてある脱穀装置の揺動選別装置駆動装置。
【請求項２】
前記選別装置駆動体が前記ベアリングの前記外側輪体に外嵌しているとともに、前記選別装置駆動体を前記外側輪体に係止させる止め輪を前記外側輪体に止着してある請求項１記載の脱穀装置の揺動選別装置駆動装置。
【発明の詳細な説明】
【０００１】
【発明の属する技術分野】
本発明は、両端部が脱穀機体に回動自在に支持されている駆動自在なクランク軸を備えている脱穀装置の揺動選別装置駆動装置に関する。
【０００２】
【従来の技術】
上記揺動選別装置駆動装置において、クランク軸の両端部に対して偏芯している中間部と揺動選別装置にわたって連結されてクランク軸による揺動選別装置の揺動駆動を可能にする選別装置駆動体と、クランク軸の中間部との間にボールベアリングなどのベアリングを介装すれば、揺動選別装置の駆動がスムーズになる。このようにベアリングを介装したものとしては、従来、たとえば特許文献１に示されるものがあった。
【０００３】
【特許文献１】
特開２０００−２８７５２７号公報  （  段落番号〔００２３〕〜〔００２６〕、図６  ）
【０００４】
【発明が解決しようとする課題】
上記した如くベアリングを採用したものにあっては、従来、ランク軸が中間部と端部に分割自在になっていた。すなわち、クランク軸を中間部と端部に分解することにより、ベアリングを中間部に対して抜き差して脱着できるようになっていた。このため、クランク軸の面から構造が複雑化していた。
【０００５】
本発明の目的は、ベアリングで円滑に駆動できるとともにベアリングの脱着が可能でありながら構造簡単に得られる脱穀装置の揺動選別装置駆動装置を提供することにある。
【０００６】
【課題を解決するための手段】
請求項１による発明の構成、作用、効果はつぎのとおりである。
【０００７】
〔構成〕
両端部が脱穀機体に回動自在に支持されている駆動自在なクランク軸を備えている脱穀装置の揺動選別装置駆動装置において、前記クランク軸を、前記両端部が中間部に対して偏芯する状態に屈曲した一本の屈曲軸によって構成し、前記クランク軸の前記中間部に外嵌している支持筒、この支持筒に内側輪体が外嵌しているベアリング、このベアリングの外側輪体と揺動選別装置にわたって連結している選別装置駆動体を備えてある。
【０００８】
〔作用〕
クランク軸の中間部と選別装置駆動体との間にベアリングが介在しているものだから、クランク軸と選別装置駆動体がベアリングのためにスムーズに相対回動しながら揺動選別装置が駆動される。
【０００９】
クランク軸の中間部に支持筒が外嵌し、この支持筒にベアリングの内側輪体が外嵌しているものだから、内側輪体の内径がクランク軸の外径に比して大きなベアリングを採用できる。すなわち、ベアリングの内径とクランク軸の外径との差のためにクランク軸の中間部と端部の間の屈曲部を通過するベアリングを採用できる。これにより、クランク軸を一本の屈曲軸によって構成しているものでありながら、かつ、ベアリングをクランク軸に組み付けた場合、クランク軸の中間部に外嵌する支持筒のためにベアリングはクランク軸との間にガタ付きが発生しない状態で組み付くのでありながら、ベアリングをクランク軸に対してその端から嵌め込むとか抜き外すことができる。
【００１０】
〔効果〕
従って、クランク軸と選別装置駆動体がベアリングによってスムーズに相対回動して揺動選別装置を円滑に駆動でき、ベアリングをクランク軸に対して脱着して修理するとか点検できる。その割には、一本の屈曲軸で成る構造簡単なクランク軸を採用して安価に得られる。
【００１１】
請求項２による発明の構成、作用、効果はつぎのとおりである。
【００１２】
〔構成〕
請求項１による発明の構成において、前記選別装置駆動体が前記ベアリングの前記外側輪体に外嵌しているとともに、前記選別装置駆動体を前記外側輪体に係止させる止め輪を前記外側輪体に止着してある。
【００１３】
〔作用〕
止め輪をベアリングの外側輪体から取り外した状態にすると、選別装置駆動体をベアリングに嵌めるとか、ベアリングから抜き外すことができるものである。これにより、選別装置駆動体は、ベアリングに外嵌するように形成して設けた組み付け孔によってベアリングに対して連結できる。
【００１４】
〔効果〕
従って、選別装置駆動体に組み付け孔を設けるだけの簡単な連結構造で選別装置駆動体とベアリングを連結でき、この面からも構造の簡略化を行なってコストダウンできる。また、止め輪を脱着するだけで操作簡単に選別装置駆動体とベアリングを連結するとか分離できる。
【００１５】
【発明の実施の形態】
図１に示すように、脱穀機体１の横外側に駆動自在に位置する無端回動式の脱穀フィードチェーン２によって刈取り穀稈の株元側を脱穀機体１の後方に向けて挟持搬送してその刈取り穀稈の穂先側を脱穀機体内の扱室３に供給して回動する扱胴４によって脱穀処理し、脱穀排ワラを扱室３の後端部に位置する送塵口５から搬出するように脱穀部を構成してある。扱室３の受網６、及び前記送塵口５から落下した脱穀処理物を、扱室３の下方に位置する駆動揺動自在な揺動選別装置２０と、この揺動選別装置２０の前端部の下方に位置する唐箕７から脱穀機体後方向きに供給される選別風とによって穀粒と塵埃に選別し、穀粒を揺動選別装置２０の下方に落下させ、塵埃を扱室３の後方に位置する排塵ファン８の排出口８ａや、脱穀機体１の後部に位置する排塵口９から選別風と共に機体外に排出するように選別部を構成してある。選別部から落下した１番穀粒を、揺動選別装置２０の下方の唐箕７の後方近くに位置する１番スクリューコンベヤ１１によって脱穀機体１の横外側に搬出するように構成してある。選別部から落下した２番穀粒を、揺動選別装置２０の後端部の下方に位置する２番スクリューコンベベヤ１２によって脱穀機体１の横外側に搬送し、脱穀機体１の横外側で揚送装置１３によって揚送して、この揚送装置１３の吐出口１３ａから脱穀機体１の内部に放出して揺動選別装置２０の始端側に還元するように構成し、もって、コンバイン用の脱穀装置を構成してある。
【００１６】
前記揺動選別装置２０は、シーブケース２１、このシーブケース２１の内部に揺動選別装置２０の前後及び上下方向に並べて装着したグレンパン２２、チャフシーブ２３、ストローラック２４、グレンシーブ２５を備えて構成してある。シーブケース２１の前端側を、揺動リンク２６を介して脱穀機体１に前後移動自在に支持させ、後端側を、脱穀機体横向きのクランク軸３１を備えた揺動選別装置駆動装置３０を介して脱穀機体１に支持させてある。
これにより、揺動選別装置２０は、前記揺動選別装置駆動装置３０によって脱穀機体１の前後方向に揺動するように駆動され、扱室３からの脱穀処理物をグレンパン２２、チャフシーブ２３などの各選別体によって脱穀機体後方向きに搬送しながら穀粒と、ワラ屑などの塵埃とに選別処理し、穀粒を１番スクリューコンベヤ１１や２番スクリューコンベヤ１２に落下させ、塵埃を排塵口９に送出するとか選別風によって搬出させる。
【００１７】
図２に示すように、前記揺動選別装置駆動装置３０は、脱穀機体１の左側の横側壁１ａの外面側に軸支部材を取付けて設けた支持部１ｂと、脱穀機体１の右側の横側壁１ａの外面側に軸支部材を取付けて設けた支持部１ｂとにわたって軸芯Ｘまわりで回動自在に支持させた前記クランク軸３１、このクランク軸３１の前記左横側壁１ａの支持部１ｂや前記右横側壁１ａの支持部１ｂに連結している端部３１ａに対して偏芯している中間部３１ｂの両端側に装着したボールベアリング３２、クランク軸３１の左端側に位置する前記ボールベアリング３２の外側輪体３２ａと、揺動選別装置２０の前記シーブケース２１の左横側の角部にブラケットを取付けて設けた連結部２７とにわたって連結した選別装置駆動体３３、クランク軸３１の右端側に位置する前記ボールベアリング３２の外側輪体３２ａと、前記シーブケース２１の右横側の角部にブラケットを取付けて設けた連結部２７とにわたって連結した選別装置駆動体３３を備えて構成してある。
【００１８】
前記クランク軸３１の前記一方の横側壁１ａの支持部１ｂから脱穀機体横外側に突出している端部にクランク軸駆動プーリ３４をキー３５による係合によって一体回動するように取付けてあるとともに、このクランク軸駆動プーリ３４は、前記唐箕７、１番スクリューコンベヤ１１、２番スクリューコンベヤ１２のそれぞれを駆動するプーリ（図示せず）に動力伝達する伝動ベルト（図示せず）が巻回されて、前記唐箕７、１番スクリューコンベヤ１１、２番スクリューコンベヤ１２と共に駆動されるように構成してある。
【００１９】
これにより、揺動選別装置駆動装置３０は、クランク軸駆動プーリ３４によってクランク軸３１を脱穀機体横向きの前記軸芯Ｘまわりで回動するように駆動し、回動するクランク軸３４の中間部３１ｂによって左右の揺動選別装置駆動体３３をこれらに対して相対回転しながらボールベアリング３２を介して昇降操作することにより、シーブケース２１の後端側を前後方向に往復移送することによって揺動選別装置２０の全体を前後方向に往復揺動するように駆動する。
【００２０】
前記クランク軸３１は、一方の端部が脱穀機体１の一方の横側壁１ａの支持部１ｂに取付ける端部３１ａになり、他方の端部が脱穀機体１の他方の横側壁１ａの支持部１ｂに取付ける端部３１ａになり、中間部が左右の選別装置駆動体３３を連結する中間部３１ｂになり、両端部が中間部に対して偏芯した状態に曲げ加工した一本の屈曲丸軸によって構成してある。
【００２１】
クランク軸中間部３１ｂの左端側に装着してある前記ボールベアリング３２も、クランク軸中間部３１ｂの右端側に装着してあるボールベアリング３２も、図４などに示す如くクランク軸中間部３１ｂに取付けた支持筒３６に内側輪体３２ｂを外嵌させることによってクランク軸中間部３１ｂに装着してある。
【００２２】
左右側いずれの支持筒３６も、クランク軸３１を構成している丸軸が屈曲加工する前の直線状にあるときに嵌め込むことによって、すなわち、支持筒３６が外嵌した状態にある丸棒を屈曲加工してクランク軸３１を作製することによってクランク軸３１の中間部３１ｂに装着し、図４の如く支持筒３６の端部とクランク軸中間部３１ｂとを溶接ａで連結することによってクランク軸中間部３１ｂの所定の組み付け位置に固定してある。
【００２３】
つまり、ボールベアリング３２として、図５に示す如くクランク軸３１の中間部３１ｂと端部３１ａの間の屈曲部３１ｃを通過する大きさの内側輪体３２ｂの内径Ｄを備えて、クランク軸３１に対してこれの一端側から抜き挿しできるボールベアリングを採用してある。そして、クランク軸３１の中間部３１ｂの所定の組み付け位置に装着したボールベアリング３２は、内側輪体３２ｂの内径Ｄとクランク軸中間部３１ｂの外径との寸法差が支持筒３６によって吸収されてクランク軸中間部３１ｂに対してガタ付きが発生しない状態で組み付くようになっている。
【００２４】
前記左右側いずれのボールベアリング３２も、図４に示す如く支持筒３６の一端側に一体成形したストッパー部３６ａと、支持筒３６の他端側に止着した止め輪３７とによって支持筒３６に対して脱着自在に連結してある。
すなわち、前記ストッパー部３６ａは、ボールベアリング３２の内側輪体３２ｂの一方の側面に対して係止してストッパー作用するようになっており、前記止め輪３７は、ボールベアリング３２の内側輪体３２ｂの他方の側面に対して係止してストッパー作用するようになっている。止め輪３７を取り外すことにより、ボールベアリング３２を支持筒３６から抜き外せるようになっている。
【００２５】
前記左右側いずれの選別装置駆動体３３も、図４に示すように、選別装置駆動体３３の端部に設けた組み付け孔３３ａによってボールベアリング３２の外側輪体３２ａに対して外嵌させてある。選別装置駆動体３３の両横側に分散するように配置してボールベアリング３２の外側輪体３２ａに止着した一対の止め輪３８が選別装置駆動体３３の側面に当接して選別装置駆動体３３をボールベアリング３２の外側輪体３２ａに係止させるように構成してある。これにより、左右側いずれの選別装置駆動体３３も、ボールベアリング３２の外側輪体３２ａに対して外れないように連結している。
【００２６】
〔別実施形態〕
前記ボールベアリング３２に替え、ニードルベアリングなど各種の転がり式のベアリングを採用して実施してもよいのであり、これらボールベアリング３２、ニードルベアリングなどを総称してベアリング３２と呼称する。
【図面の簡単な説明】
【図１】コンバイン用脱穀装置の側面図
【図２】揺動選別装置駆動装置の縦断後面図
【図３】クランク軸の選別装置駆動体装着部での断面図
【図４】クランク軸と選別装置駆動体の連結構造を示す断面図
【図５】ベアリング脱着要領を示す説明図
【符号の説明】
１ａ                脱穀機体
２０                揺動選別装置
３１                クランク軸
３１ａ              クランク軸の端部
３１ｂ              クランク軸の中間部
３２                ベアリング
３２ｂ              ベアリングの内側輪体
３２ａ              ベアリングの外側輪体
３３                選別装置駆動体
３６                支持筒
３８                止め輪
【図１】
2004159595.tif 000003
【図２】
2004159595.tif 000004
【図３】
2004159595.tif 000005
【図４】
2004159595.tif 000006
【図５】
2004159595.tif 000007